(57)【要約】【課題】かご内の温度をより確実に調節することができるエレベータ装置を得る。【解決手段】エレベータ出入口を開閉するドア１１を動作させるドア駆動装置１２を制御するドア制御装置１３と、かご内の温度を測定するかご内温度センサ２と、かごが乗場に停止しエレベータ出入口が開いている場合におけるかご内温度センサ２の測定結果を用いて、乗場の温度がかご内の温度よりも快適であるか否かを判定する判定装置４２とを備え、ドア制御装置１３は、乗場の温度がかご内の温度よりも快適であると判定装置４２が判定する場合に、戸開時間を延長する。【選択図】図１
2015020862.tif 000002
【特許請求の範囲】
【請求項１】
エレベータ出入口を開閉するドアを動作させるドア駆動装置を制御するドア制御装置と、
かご内の空気状態情報を測定する空気状態情報測定装置と、
前記かごが乗場に停止し前記エレベータ出入口が開いて戸開延長後の、前記空気状態情報測定装置の測定結果を用いた前記乗場の前記空気状態情報と予め設定された目標値との差分が、前記エレベータ出入口の戸開開始時点以前の前記かご内の前記空気状態情報と前記目標値との差分よりも小さいか否かを判定する判定装置と
を備え、
前記ドア制御装置は、前記乗場の前記空気状態情報と前記目標値との差分が、前記かご内の前記空気状態情報と前記目標値との差分よりも小さいと前記判定装置が判定する場合に、戸開時間を延長することを特徴とするエレベータ装置。
【請求項２】
前記かごを昇降させる巻上機を制御する巻上機制御装置をさらに備え、
前記巻上機制御装置は、前記乗場の前記空気状態情報と前記目標値との差分が、前記かご内の前記空気状態情報と前記目標値との差分よりも小さくないと前記判定装置が判定する場合に、前記かごが停止している前記乗場とは異なる階の前記乗場へ前記かごが移動するように前記巻上機を制御することを特徴とする請求項１に記載のエレベータ装置。
【請求項３】
複数の階の前記乗場のそれぞれについての前記空気状態情報測定装置の測定結果を記憶する記憶装置をさらに備え、
前記巻上機制御装置は、前記かごが停止している前記乗場の前記空気状態情報と前記目標値との差分が、前記かご内の前記空気状態情報と前記目標値との差分よりも小さくないと前記判定装置が判定する場合に、前記記憶装置に記憶されている前記空気状態情報測定装置の測定結果に基づいて、前記かごが停止している前記乗場とは異なる階の前記乗場へ前記かごが移動するように前記巻上機を制御することを特徴とする請求項２に記載のエレベータ装置。
【請求項４】
前記記憶装置は、複数の時間帯のそれぞれについての前記空気状態情報測定装置の測定結果を記憶し、
前記巻上機制御装置は、前記判定装置が判定する時刻に対応する時間帯についての前記空気状態情報測定装置の測定結果に基づいて、前記かごが停止している前記乗場とは異なる階の前記乗場へ前記かごが移動するように前記巻上機を制御することを特徴とする請求項３に記載のエレベータ装置。
【請求項５】
前記記憶装置は、異なる号機のそれぞれの前記空気状態情報測定装置の測定結果を記憶
することを特徴とする請求項３または請求項４に記載のエレベータ装置。
【請求項６】
前記ドア制御装置は、戸開時間を延長している状態で、かご呼びまたは乗場呼びが発生する場合に、戸開時間の延長を中止することを特徴とする請求項１から請求項５までの何れか一項に記載のエレベータ装置。
【請求項７】
前記空気状態情報には、温度または湿度が含まれていることを特徴とする請求項１から請求項５までの何れか一項に記載のエレベータ装置。
【請求項８】
エレベータ出入口を開閉するドアを動作させるドア駆動装置を制御するドア制御装置と、かご内の空気状態情報を測定する空気状態情報測定装置と、乗場の前記空気状態情報と予め設定された目標値との差分が前記かご内の前記空気状態情報と前記目標値との差分よりも小さいか否かを判定する判定装置とを用いたエレベータかご内換気方法であって、
前記かごが前記乗場に停止し前記エレベータ出入口が開いて戸開延長した後、前記空気状態情報測定装置が前記かご内の前記空気状態情報を測定する空気状態情報測定工程と、
前記空気状態情報測定装置の測定結果を用いた前記乗場の前記空気状態情報と前記目標値との差分が、前記エレベータ出入口の戸開開始時点以前の前記かご内の前記空気状態情報と前記目標値との差分よりも小さいか否かについて前記判定装置が判定する空気状態情報快適判定工程と、
前記空気状態情報快適判定工程で、前記乗場の前記空気状態情報と前記目標値との差分が、前記かご内の前記空気状態情報と前記目標値との差分よりも小さいと前記判定装置が判定する場合に、前記ドア制御装置が戸開時間を延長する戸開時間延長工程と
を備えたことを特徴とするエレベータかご内換気方法。
【発明の詳細な説明】
【技術分野】
【０００１】
この発明は、かご内を換気するエレベータ装置およびエレベータかご内換気方法に関する。
【背景技術】
【０００２】
従来、エレベータ出入口を開閉するドアと、ドアを動作させるドア駆動装置と、ドア駆動装置を制御するドア制御装置と、かご内の温度を測定する温度測定装置と、かごに設けられたファンと、ファンを制御するファン制御装置とを備え、かごが乗場に停止しエレベータ出入口が開いた状態で、ファン制御装置がファンを動作させることによって、乗場の空気がかご内に取り込まれるエレベータ装置が知られている。温度測定装置によって測定されたかご内の温度が予め設定された温度範囲を超える場合に、乗場の空気がかご内に取り込まれることによって、かご内の温度が調節される（例えば、特許文献１参照）。
【先行技術文献】
【特許文献】
【０００３】
【特許文献１】特開平７−２４７０６０号公報
【発明の概要】
【発明が解決しようとする課題】
【０００４】
しかしながら、乗場の温度がかご内の温度よりも予め設定された温度範囲から離れている場合には、乗場の空気がかご内に取り込まれることによって、かご内の温度が予め設定された温度範囲からより離れてしまい、かご内の温度を調節することができないという問題点があった。
【０００５】
この発明は、かご内の空気状態情報をより確実に調節することができるエレベータ装置およびエレベータかご内換気方法を提供するものである。
【課題を解決するための手段】
【０００６】
この発明に係るエレベータ装置は、エレベータ出入口を開閉するドアを動作させるドア駆動装置を制御するドア制御装置と、かご内の空気状態情報を測定する空気状態情報測定装置と、かごが乗場に停止しエレベータ出入口が開いて戸開延長後の、空気状態情報測定装置の測定結果を用いた乗場の空気状態情報と予め設定された目標値との差分が、エレベータ出入口の戸開開始時点以前のかご内の空気状態情報と目標値との差分よりも小さいか否かを判定する判定装置とを備え、ドア制御装置は、乗場の空気状態情報と目標値との差分が、かご内の空気状態情報と目標値との差分よりも小さいと判定装置が判定する場合に、戸開時間を延長する。
【０００７】
この発明に係るエレベータかご内換気方法は、エレベータ出入口を開閉するドアを動作させるドア駆動装置を制御するドア制御装置と、かご内の空気状態情報を測定する空気状態情報測定装置と、乗場の空気状態情報と予め設定された目標値との差分がかご内の空気状態情報と目標値との差分よりも小さいか否かを判定する判定装置とを用いたエレベータかご内換気方法であって、かごが乗場に停止しエレベータ出入口が開いて戸開延長した後、空気状態情報測定装置がかご内の空気状態情報を測定する空気状態情報測定工程と、空気状態情報測定装置の測定結果を用いた乗場の空気状態情報と目標値との差分が、エレベータ出入口の戸開開始時点以前のかご内の空気状態情報と目標値との差分よりも小さいか否かについて判定装置が判定する空気状態情報快適判定工程と、空気状態情報快適判定工程で、乗場の空気状態情報と目標値との差分が、かご内の空気状態情報と目標値との差分よりも小さいと判定装置が判定する場合に、ドア制御装置が戸開時間を延長する戸開時間延長工程とを備えている。
【発明の効果】
【０００８】
この発明に係るエレベータ装置によれば、エレベータ出入口を開閉するドアを動作させるドア駆動装置を制御するドア制御装置と、かご内の空気状態情報を測定する空気状態情報測定装置と、かごが乗場に停止しエレベータ出入口が開いて戸開延長後の、空気状態情報測定装置の測定結果を用いた乗場の空気状態情報と予め設定された目標値との差分が、エレベータ出入口の戸開開始時点以前のかご内の空気状態情報と目標値との差分よりも小さいか否かを判定する判定装置とを備え、ドア制御装置は、乗場の空気状態情報と目標値との差分が、かご内の空気状態情報と目標値との差分よりも小さいと判定装置が判定する場合に、戸開時間を延長するので、乗場の空気状態情報と目標値との差分が、かご内の空気状態情報と目標値との差分よりも小さい場合には、乗場の空気がかご内に取り込まれ、乗場の空気状態情報と目標値との差分が、かご内の空気状態情報と目標値との差分よりも小さくない場合には、乗場の空気がかご内に取り込まれることが防止される。これにより、かご内の空気状態情報をより確実に調節することができる。
【０００９】
この発明に係るエレベータかご内換気方法によれば、かごが乗場に停止しエレベータ出入口が開いて戸開延長した後、空気状態情報測定装置がかご内の空気状態情報を測定する空気状態情報測定工程と、空気状態情報測定装置の測定結果を用いた乗場の空気状態情報と目標値との差分が、エレベータ出入口の戸開開始時点以前のかご内の空気状態情報と目標値との差分よりも小さいか否かについて判定装置が判定する空気状態情報快適判定工程と、空気状態情報快適判定工程で、乗場の空気状態情報と目標値との差分が、かご内の空気状態情報と目標値との差分よりも小さいと判定装置が判定する場合に、ドア制御装置が戸開時間を延長する戸開時間延長工程とを備えているので、乗場の空気状態情報と目標値との差分が、かご内の空気状態情報と目標値との差分よりも小さい場合には、乗場の空気がかご内に取り込まれ、乗場の空気状態情報と目標値との差分が、かご内の空気状態情報と目標値との差分よりも小さくない場合には、乗場の空気がかご内に取り込まれることが防止される。これにより、かご内の空気状態情報をより確実に調節することができる。
【図面の簡単な説明】
【００１０】
【図１】この発明の実施の形態１に係るエレベータ装置を示すブロック図である。
【図２】図１のエレベータ装置の動作を示すフローチャートである。
【図３】この発明の実施の形態２に係るエレベータ装置を示すブロック図である。
【図４】図３のエレベータ装置の動作を示すフローチャートである。
【図５】この発明の実施の形態３に係るエレベータ装置を示すブロック図である。
【図６】図５のエレベータ装置の動作を示すフローチャートである。
【発明を実施するための形態】
【００１１】
実施の形態１．
図１はこの発明の実施の形態１に係るエレベータ装置を示すブロック図である。図において、エレベータ装置は、ドア装置１と、かご内温度センサ（空気状態情報測定装置）２と、巻上機３と、エレベータ制御盤４とを備えている。
【００１２】
ドア装置１は、エレベータ出入口（図示せず）を開閉するドア１１と、ドア１１を動作させるドア駆動装置１２と、ドア駆動装置１２を制御するドア制御装置１３とを有している。
【００１３】
かご内温度センサ２は、かご（図示せず）に設けられている。かご内温度センサ２は、かご内の温度（空気状態情報）を継続して測定する。
【００１４】
巻上機３には、ロープ（図示せず）が巻き掛けられている。このロープには、かごが接続されている。巻上機３が動作することによって、かごが昇降路を昇降する。
【００１５】
エレベータ制御盤４は、巻上機制御装置４１と、判定装置４２とを有している。
【００１６】
巻上機制御装置４１は、巻上機３を制御する。巻上機制御装置４１が巻上機３を制御することによって、かごが目的階に移動する。
【００１７】
判定装置４２は、かご内温度センサ２の測定結果を継続して取得する。判定装置４２は、かご内温度センサ２によって測定されたかご内の温度が予め設定された温度範囲内であるか否かを判定する。具体的には、判定装置４２は、かご内温度センサ２によって測定されたかご内の温度Ｔ（ｔ）が下記の式（１）を満たすか否かを判定する。
｜Ｔ−Ｔ（ｔ）｜＜α      （１）
ここで、Ｔは目標温度（目標値）、αは許容温度範囲である。目標温度としては、例えば、２５℃が設定され、許容温度範囲としては、例えば、１℃が設定される。上記の式（１）が満たされる場合には、かご内温度センサ２によって測定されたかご内の温度が予め設定された温度範囲内であり、上記の式（１）が満たされない場合には、かご内温度センサ２によって測定されたかご内の温度が予め設定された温度範囲内ではない。
【００１８】
エレベータ装置は、通常の運転が行われる通常運転モードと換気運転が行われる快適維持運転モードとの間で運転モードが切り換わるようになっている。エレベータ装置は、かご内温度センサ２によって測定されたかご内の温度が予め設定された温度範囲内であると判定装置４２が判定する場合に通常運転モードとなり、かご内温度センサ２によって測定されたかご内の温度が予め設定された温度範囲内ではないと判定装置４２が判定する場合に快適維持運転モードとなる。
【００１９】
ドア制御装置１３は、エレベータ装置の運転モードが快適維持運転モードである場合であって、かごが乗り捨てられた場合に、予め設定されたＸ秒間だけ、戸開時間を延長する。戸開時間とは、エレベータ出入口が開いている時間である。Ｘとしては任意の値が設定される。ドア制御装置１３は、戸開時間を延長している状態で、かご呼びまたは乗場呼びが発生する場合に、戸開時間の延長を中止する。
【００２０】
また、判定装置４２は、かごが乗場に停止しエレベータ出入口が開いている場合におけるかご内温度センサ２の測定結果を用いて、かごが停止している階の乗場の温度がかご内の温度よりも快適であるか否かを判定する。かごが乗り捨てられた乗場に停止し、エレベータ出入口が開いて延長された戸開時間が経過すると、かご内と乗場との間に温度差がある場合には、かご内の温度が乗場の温度に近づいていく。そのため、この実施の形態１では、かごが乗り捨てられて乗場に停止し、エレベータ出入口が開いて延長された戸開時間が経過した時にかご内温度センサ２により測定された温度を乗場の温度の暫定値としている。そこで、判定装置４２は、かごが乗り捨てられた乗場に停止し、エレベータ出入口が開いて延長された戸開時間が経過した時のかご内の温度と、かごが乗り捨てられた時のかご内の温度と、目標温度とを用いて、戸開延長を行うか否かを判定する。つまり、判定装置４２は、戸開延長後の温度と目標温度との差分が、戸開開始時点の温度と目標温度との差分よりも小さければ、少なくとも現時点のかご内よりも乗場は快適な温度であると判定する。具体的には、判定装置４２は、下記の式（２）を満たすか否かを判定する。
｜Ｔ−Ｔ（ｔ１）｜／｜Ｔ−Ｔ（ｔ０）｜＜（１．０−β）      （２）
ここで、Ｔ（ｔ０）はかごが乗り捨てられた時にかご内温度センサ２によって測定されたかご内の温度、Ｔ（ｔ１）は延長された戸開時間が経過した時にかご内温度センサ２によって測定されたかご内の温度、βは１．０よりも小さい任意の値である。上記の式（２）が満たされる場合は、かごが停止している乗場の温度がかご内の温度よりも快適であり、上記の式（２）が満たされない場合は、かごが停止している乗場の温度がかご内の温度よりも快適ではない。なお、ここでは、Ｔ（ｔ０）をかごが乗り捨てられた時にかご内温度センサ２によって測定されたかご内の温度（戸開開始時点の温度）としているが、戸開開始時点以前のかご内の温度を用いてもよい。
【００２１】
次に、運転モードが快適維持運転モードの場合のエレベータ装置の動作について説明する。図２は図１のエレベータ装置の動作を示すフローチャートである。まず、判定装置４２は、かごが乗り捨てられたか否かを判定する（乗捨判定工程）（ステップＳ１０１）。ステップＳ１０１で、かごが乗り捨てられていないと判定装置４２が判定すると、エレベータ装置の利用者がまだいるので、エレベータ装置の利用者がいなくなるまでステップＳ１０１を繰り返す。
【００２２】
一方、ステップＳ１０１で、かごが乗り捨てられたと判定装置４２が判定すると、ドア制御装置１３は、戸開時間をＸ秒間だけ延長する（戸開時間延長工程）（ステップＳ１０２）。
【００２３】
その後、判定装置４２は、延長時間が経過した時にかご内温度センサ２に測定されたかご内の温度Ｔ（ｔ１）が上記（１）の式を満たすか否かを判定する（目標温度到着判定工程）（ステップＳ１０３）。ステップＳ１０３で、延長時間が経過した時にかご内温度センサ２に測定されたかご内の温度Ｔ（ｔ１）が上記（１）の式を満たすと判定装置４２が判定すると、エレベータ装置は、運転モードが快適維持運転モードから通常運転モードに切り換わり、その後、通常の運転が行われる。
【００２４】
一方、ステップＳ１０３で、延長時間が経過した時にかご内温度センサ２に測定されたかご内の温度Ｔ（ｔ１）が上記の式（１）を満たさないと判定装置４２が判定すると、判定装置４２は、かごが停止している階の乗場の温度がかご内の温度よりも快適であるか否かを判定する（空気状態情報快適判定工程）（ステップＳ１０４）。具体的には、判定装置４２は、かごが乗り捨てられた時にかご内温度センサ２によって測定されたかご内の温度Ｔ（ｔ０）と、延長時間が経過した時にかご内温度センサ２に測定されたかご内の温度Ｔ（ｔ１）とが上記の式（２）を満たすか否かを判定する。
【００２５】
ステップＳ１０４で、かごが停止している階の乗場の温度がかご内の温度よりも快適であると判定装置４２が判定すると、ステップＳ１０２に戻る。一方、ステップＳ１０４で、かごが停止している階の乗場の温度がかご内の温度よりも快適ではないと判定装置が判定すると、エレベータ装置は、運転モードが快適維持運転モードから通常運転モードに切り換わり、その後、通常の運転が行われる。
【００２６】
以上説明したように、この発明の実施の形態１に係るエレベータ装置によれば、エレベータ出入口を開閉するドア１１を動作させるドア駆動装置１２を制御するドア制御装置１３と、かご内の温度を測定するかご内温度センサ２と、かごが乗場に停止しエレベータ出入口が開いている場合におけるかご内温度センサ２の測定結果を用いて、乗場の温度がかご内の温度よりも快適であるか否かを判定する判定装置４２とを備え、ドア制御装置１３は、乗場の温度がかご内の温度よりも快適であると判定装置４２が判定する場合に、戸開時間を延長するので、乗場の温度がかご内の温度よりも予め設定された目標値に近い場合には、乗場の空気がかご内に取り込まれ、乗場の温度がかご内の温度よりも予め設定された目標値から離れている場合には、乗場の空気がかご内に取り込まれることが防止される。これにより、かご内の温度をより確実に調節することができる。
【００２７】
また、ドア制御装置１３は、戸開時間を延長している状態で、かご呼びまたは乗場呼びが発生する場合に、戸開時間の延長を中止するので、利用者によるエレベータ装置の利用が、ドア制御装置１３による戸開時間の延長によって妨げられることを防止することができる。
【００２８】
また、この発明の実施の形態１に係るエレベータかご内換気方法によれば、かごが乗場に停止しエレベータ出入口が開いている場合に、かご内温度センサ２がかご内の温度を測定する空気状態情報測定工程と、かご内温度センサ２の測定結果を用いて、乗場の温度がかご内の温度よりも快適であるか否かについて判定装置４２が判定する空気状態情報快適判定工程と、空気状態情報快適判定工程で、乗場の空気がかご内の空気よりも快適であると判定装置４２が判定する場合に、ドア制御装置１３が戸開時間を延長する戸開時間延長工程とを備えているので、乗場の温度がかご内の温度よりも予め設定された目標値に近い場合には、乗場の空気がかご内に取り込まれ、乗場の温度がかご内の温度よりも予め設定された目標値から離れている場合には、乗場の空気がかご内に取り込まれることが防止される。これにより、かご内の温度をより確実に調節することができる。
【００２９】
実施の形態２．
図３はこの発明の実施の形態２に係るエレベータ装置を示すブロック図である。図において、エレベータ制御盤４は、行先階決定装置４３をさらに有している。
【００３０】
行先階決定装置４３は、エレベータ装置の運転モードが快適維持運転モードであって、かごが停止している階の乗場の温度がかご内の温度よりも快適ではないと判定装置４２が判定する場合に、かごが停止している乗場の階とは異なる階を行先階に決定する。具体的には、かごが停止している階が最上階ではない場合には、１つ上の階を行先階に決定し、かごが停止している階が最上階である場合には、最下階を行先階に決定する。なお、行先階決定装置４３は、ランダムに行先階を決定してもよい。
【００３１】
巻上機制御装置４１は、行先階決定装置４３によって決定された行先階の乗場へかごを移動させる。その他の構成は、実施の形態１と同様である。
【００３２】
次に、運転モードが快適維持運転モードの場合のエレベータ装置の動作について説明する。図４は図３のエレベータ装置の動作を示すフローチャートである。ステップＳ２０１からステップＳ２０４までは、実施の形態１のステップＳ１０１からステップＳ１０４までと同様である。
【００３３】
ステップＳ２０４で、かごが停止している階の乗場の温度がかご内の温度よりも快適ではないと判定装置が判定すると、行先階決定装置４３は、かごが停止している乗場の階とは異なる階を行先階に決定する（行先階決定工程）（ステップＳ２０５）。
【００３４】
その後、巻上機制御装置４１は、行先階決定装置４３によって決定された行先階の乗場へかごを移動させ（かご移動工程）（ステップＳ２０６）、その後、ステップＳ２０２に戻る。
【００３５】
以上説明したように、この発明の実施の形態２に係るエレベータ装置によれば、かごを昇降させる巻上機３を制御する巻上機制御装置４１をさらに備え、巻上機制御装置４１は、乗場の温度がかご内の温度よりも快適ではないと判定装置４２が判定する場合に、かごが停止している乗場とは異なる階の乗場へかごが移動するように巻上機３を制御するので、エレベータ装置が設置されている建物の中で、かご内の温度よりも快適な温度の乗場がある場合には、その乗場へかごを移動させてかご内の温度を調節することができる。
【００３６】
実施の形態３．
図５はこの発明の実施の形態３に係るエレベータ装置を示すブロック図である。図において、エレベータ制御盤４は、温度学習装置（記憶装置）４４をさらに有している。
【００３７】
温度学習装置４４は、延長時間が経過した時にかご内温度センサ２に測定されたかご内の温度を各階のそれぞれについて記憶する。これにより、温度学習装置４４は、各階の乗場の温度を記憶することができる。また、温度学習装置４４は、タイマーを有しており、定期的に記憶されている各階の乗場の温度の情報を削除する。
【００３８】
行先階決定装置４３は、エレベータ装置の運転モードが快適維持運転モードであって、かごが停止している階の乗場の温度がかご内の温度よりも快適ではないと判定装置４２が判定する場合に、温度学習装置４４に記憶されているかご内温度センサ２の測定結果に基づいて、かごが停止している乗場の階とは異なる階を行先階として決定する。具体的には、行先階決定装置４３は、下記の式（３）および下記の式（４）を満たす階を行先階として決定する。
ｆｎｅｘｔ＝ａｒｇｇｍｉｎ（｜Ｔ−Ｔｇ（ｔ’１）｜／｜Ｔ−Ｔｆ（ｔ１）｜）    （３）
ｍｉｎ（｜Ｔ−Ｔｇ（ｔ１）｜／｜Ｔ−Ｔｆ（ｔ１）｜）＜γ                  （４）
ここで、ｆｎｅｘｔは決定される行先階、ｇはかごが停止している乗場の階とは異なる階の階数、Ｔｇ（ｔ’）は温度学習装置４４に記憶されているｇ階に停止していた時のかご内の温度、γは１．０よりも小さい任意の値である。つまり、行先階決定装置４３は、かご内温度センサ２によって測定されたかご内の温度の中で最も目標温度に近い温度である乗場の階を行先階として決定する。行先階決定装置４３は、上記の式（３）および上記の式（４）を満たす階がない場合には、実施の形態２と同様に、行先階を決定する。その他の構成は、実施の形態２と同様である。
【００３９】
次に、運転モードが快適維持運転モードの場合のエレベータ装置の動作について説明する。図６は図５のエレベータ装置の動作を示すフローチャートである。ステップＳ３０１からステップＳ３０４までは、実施の形態１のステップＳ１０１からステップＳ１０４までと同様である。
【００４０】
ステップＳ３０４で、かごが停止している階の乗場の温度がかご内の温度よりも快適ではないと判定装置が判定すると、行先階決定装置４３は、温度学習装置４４に記憶されているかご内温度センサ２の測定結果に基づいて、かごが停止している乗場の階とは異なる階を行先階として決定する（行先階決定工程）（ステップＳ３０５）。
【００４１】
その後、巻上機制御装置４１は、行先階決定装置４３によって決定された行先階の乗場へかごを移動させ（かご移動工程）（ステップＳ３０６）、その後、ステップＳ２０２に戻る。
【００４２】
以上説明したように、この発明の実施の形態３に係るエレベータ装置によれば、複数の階の乗場のそれぞれについてのかご内温度センサ２の測定結果を記憶する温度学習装置４４をさらに備え、巻上機制御装置４１は、かごが停止している乗場の温度がかご内の温度よりも快適ではないと判定装置４２が判定する場合に、温度学習装置４４に記憶されているかご内温度センサ２の測定結果に基づいて、かごが停止している乗場とは異なる階の乗場へかごが移動するように巻上機３を制御するので、エレベータ装置が設置されている建物の中で、かご内の温度よりも快適な温度の乗場がある場合には、その乗場へかごをより早く移動させてかご内の温度を調節することができる。
【００４３】
なお、上記実施の形態３では、温度学習装置４４がエレベータ制御盤４に含まれる構成について説明したが、温度学習装置４４がエレベータ制御盤４とは別体に設けられる構成であってもよい。この場合、複数のエレベータ装置に１つの温度学習装置４４が設けられる構成であってもよい。
【００４４】
また、上記実施の形態３では、１つの号機のかご内温度センサ２の測定結果を温度学習装置４４が記憶する構成について説明したが、複数の号機のかご内温度センサ２の測定結果を温度学習装置４４が記憶する構成であってもよい。この場合、複数の号機のそれぞれの巻上機制御装置４１は、温度学習装置４４に記憶されている共通の測定結果を用いて、巻上機３を制御する。
【００４５】
なお、各上記実施の形態では、空気状態情報として、温度を例に説明したが、温度に限らず、例えば、湿度または不快指数など、快適性に関連する１次元情報であれば、この情報を用いてもよい。
【００４６】
また、各上記実施の形態では、判定装置４２がエレベータ制御盤４に含まれる構成について説明したが、ドア装置１または巻上機３に含まれる構成であってもよい。
【符号の説明】
【００４７】
１  ドア装置、２  かご内温度センサ（空気状態情報測定装置）、３  巻上機、４  エレベータ制御盤、１１  ドア、１２  ドア駆動装置、１３  ドア制御装置、４１  巻上機制御装置、４２  判定装置、４３  行先階決定装置、４４  温度学習装置（記憶装置）。
【図１】
2015020862.tif 000003
【図２】
2015020862.tif 000004
【図３】
2015020862.tif 000005
【図４】
2015020862.tif 000006
【図５】
2015020862.tif 000007
【図６】
2015020862.tif 000008